(57)【要約】【課題】誤読されにくい楽譜を提供することを目的とする。【解決手段】本考案の楽譜１は、表示体の少なくとも一面に画成される表示面に表示される楽譜１であって、楽譜１は、互いに等間隔で離間して平行に配置される同じ長さの六本の線分１１，１２，１３，１４，１５，１６を備える。また、六本の線分１１，１２，１３，１４，１５，１６のうち最も上にある第六線１６に対して上に等間隔で離間して平行に配置される少なくとも一本の上第一加線１７、又は、六本の線分１１，１２，１３，１４，１５，１６のうち最も下にある第一線１１に対して下に等間隔で離間して平行に配置される少なくとも一本の下第一加線１０を備える。【選択図】          図２
0003207361.tif 000002
【実用新案登録請求の範囲】
【請求項１】
表示体の少なくとも一面に画成される表示面に表示される楽譜であって、
前記楽譜は、互いに等間隔で離間して平行に配置される同じ長さの六本の線分を備える
ことを特徴とする楽譜。
【請求項２】
前記六本の線分のうち最も上にある第六線に対して上に前記等間隔で離間して平行に配置される少なくとも一本の上第一加線、
又は、前記六本の線分のうち最も下にある第一線に対して下に前記等間隔で離間して平行に配置される少なくとも一本の下第一加線を備える
ことを特徴とする請求項１に記載の楽譜。
【請求項３】
前記線分に重なる音部記号を備える
ことを特徴とする請求項１から請求項２のいずれか１項に記載の楽譜。
【請求項４】
前記六本の線分のうち最も下の第一線の直上にある線分である第二線上を中心とするト音記号を備える
ことを特徴とする請求項１から請求項３のいずれか１項に記載の楽譜。
【請求項５】
前記六本の線分のうち最も上の第六線の直下にある線分である第五線上を中心とするヘ音記号を備える
ことを特徴とする請求項１から請求項４のいずれか１項に記載の楽譜。
【考案の詳細な説明】
【技術分野】
【０００１】
本考案は、楽譜に関するものである。
【背景技術】
【０００２】
従来、主に西洋音楽で最も広く用いられる楽譜としては、平行な５本の水平線を引いて、音符を記入し、上下の関係で音の高低を表す楽譜である五線譜が一般的である。
しかしながら、従来の五線譜では、例えば同じ下第一加線上に表示された音符が、ト音記号が表示されている場合は、Ｃ４の音（「ド」の音）を表し、へ音記号が表示されている場合は、Ｅ２の音（「ミ」の音）を表すように、音部記号が異なると、同じ線上に表示された音符が異なる音階を表すこととなり、誤読されやすい、という問題がある。
特許文献１は、五線譜ではないピアノ用の譜面であるが、１オクターブの間で５つの実線と２つの点線で記し、全音の音符を線の間に描くものであるから、全音の音符を線上に表示する場合もある五線譜に慣れた者には理解できないという問題がある。
【先行技術文献】
【特許文献】
【０００３】
【特許文献１】登録実用新案第３１４０３８６号公報
【考案の概要】
【考案が解決しようとする課題】
【０００４】
そこで、本考案は、上記問題点に鑑みなされたものであって、誤読されにくい楽譜を提供することを目的とする。
【課題を解決するための手段】
【０００５】
上記目的を達成するために、以下の構成によって把握される。
（１）本考案の楽譜は、表示体の少なくとも一面に画成される表示面に表示される楽譜であって、前記楽譜は、互いに等間隔で離間して平行に配置される同じ長さの六本の線分である。
（２）上記（１）の構成において、前記六本の線分のうち最も上にある第六線に対して上に前記等間隔で離間して平行に配置される少なくとも一本の上第一加線、又は、前記六本の線分のうち最も下にある第一線に対して下に前記等間隔で離間して平行に配置される少なくとも一本の下第一加線を備える。
（３）上記（１）又は（２）のいずれかの構成において、前記線分に重なる音部記号を備える。
（４）上記（１）から（３）のいずれかの構成において、前記六本の線分のうち最も下の第一線の直上にある線分である第二線上を中心とするト音記号を備える。
（５）上記（１）から（４）のいずれかの構成において、前記六本の線分のうち最も上の第六線の直下にある線分である第五線上を中心とするヘ音記号を備える。
【考案の効果】
【０００６】
本考案によれば、誤読されにくい楽譜を提供できる。
【図面の簡単な説明】
【０００７】
【図１】本考案の第１実施形態である楽譜を表す図である。
【図２】本考案の第２実施形態であるト音記号が表示された楽譜を表す図である。
【図３】本考案の第３実施形態であるヘ音記号が表示された楽譜を表す図である。
【図４】本考案の第４実施形態である大譜表を表す図である。
【図５】本考案の第５実施形態であるヘ長調の調号が付された楽譜を表す図である。
【考案を実施するための形態】
【０００８】
（第１実施形態）
以下、図面を参照して本考案を実施するための第１の形態（以下、第１実施形態）について詳細に説明する。
【０００９】
図１は本考案の第１実施形態である楽譜を表す図である。
図１に示すように、楽譜１は、互いに等間隔で離間して平行に配置される同じ長さの六本の線分を備えるものであり、線分は、下から順に、第一線１１，第二線１２，第三線１３，第四線１４，第五線１５及び第六線１６から構成される。
【００１０】
楽譜１は、例えば、Ａ４サイズの用紙等の図示しない表示体の一面に画成される表示面に対して印刷されて表示されるものであり、通常、線分が水平に配置されるように表示体を使用者が視認可能な距離内の適所に据え置いて用いる。なお、表示体としては、書籍の紙葉や衣服であってもよく、表示体を液晶モニタ等の視覚表示装置として、視覚表示装置の一面に画成される表示面に対して楽譜を表示してもよい。
【００１１】
また、楽譜１の六本の線分のうちの少なくとも１つの線分に対して、音符２０の符頭が重なるか、又は接するようにして適宜配置される。
楽譜１には、２オクターブ域の全音（全音階を構成する２種の基本単位となる音程のうち、大きいほう）である音符２０が１５個並んで表示されている。
【００１２】
また、楽譜１は、六本の線分のうち最も上にある第六線１６に対して上に等間隔で離間して平行に配置される少なくとも一本の上第一加線１７と、六本の線分のうち最も下にある第一線１１に対して下に等間隔で離間して平行に配置される少なくとも一本の下第一加線１０とを備える。なお、楽譜１は、上第一加線１７に対してさらに上に等間隔で順に離間して平行に配置される一本又は複数の上加線を備えてもよく、下第一加線１０に対してさらに下に等間隔で順に離間して平行に配置される一本又は複数の下加線を備えてもよい。
【００１３】
そして、上第一加線１７には音符２０の符頭が重なり、下第一加線１０にも、音符２０の符頭が重なって表示されている。なお、上第一加線１７に対して音符２０の符頭の下部が接するように表示してもよく、下第一加線１０に対して音符２０の符頭の上部が接するように表示してもよい。前者の場合、音符２０の音階はＤとなり、後者の場合、音符２０の音階はＢとなる。
【００１４】
上記のように構成された楽譜１に表示された各音符２０の音階は、下第一加線１０に符頭が重なった音符２０の音階をＣとすると、左から順に、Ｃ、Ｄ、Ｅ、Ｆ、Ｇ、Ａ、Ｂ、Ｃ、Ｄ、Ｅ、Ｆ、Ｇ、Ａ、Ｂ及びＣ、となる。そして、上第一加線１７に符頭が重なった音符２０の音階をＣとすると、右から順に、Ｃ、Ｂ、Ａ、Ｇ、Ｆ、Ｅ、Ｄ及びＣとなる。
【００１５】
このように、下第一加線１０又は上第一加線１７に符頭が重なって表示される音符２０の音階をＣとすると、上第一加線１７に符頭が重なって表示される音符２０の音階もＣであり、いずれも外観が同じであり、いずれの音階も同じＣとなるので、下第一加線１０又は上第一加線１７のいずれの音階を基準にしても、各線分１１，１２，１３，１４，１５，１６に重なる又は接する音符２０の音階は一致するので、音階が読みやすい。
また、楽譜１には音部記号が表示されていなくてもよいが、音部記号が表示されていなくても、各音符２０の音階が何であるかがわかる。
以上のように、楽譜１は、互いに等間隔で離間して平行に配置される同じ長さの六本の線分を備える六線譜であるので、音部記号がなくても、音階が誤読されにくく、２オクターブに渡る音階をわかりやすく表示できる。
【００１６】
（第２実施形態）
以下、図面を参照して本考案を実施するための第２の形態（以下、第２実施形態）について詳細に説明する。
【００１７】
図２は、音部記号であるト音記号３１及び音符２０が表示された楽譜１を表す図である。
図２に示すように、楽譜１は、図１の楽譜１と同様に、互いに等間隔で離間して平行に配置される同じ長さの六本の線分を備えるものであり、下から順に、第一線１１，第二線１２，第三線１３，第四線１４，第五線１５及び第六線１６から構成される。
また、楽譜１の六本の線分のうちのいずれか１つの線分に対して、音符２０の符頭が重なるか、又は接するようにして配置されている。
楽譜１には、２オクターブ域の全音である音符２０が１５個並んで表示されている。
【００１８】
また、楽譜１は、六本の線分のうち最も上にある第六線１６に対して上に等間隔で離間して平行に配置される少なくとも一本の上第一加線１７と、六本の線分のうち最も下にある第一線１１に対して下に等間隔で離間して平行に配置される少なくとも一本の下第一加線１０とを備える。なお、楽譜１は、上第一加線１７に対してさらに上に等間隔で順に離間して平行に配置される一本又は複数の上加線を備えてもよく、下第一加線１０に対してさらに下に等間隔で順に離間して平行に配置される一本又は複数の下加線を備えてもよい。
【００１９】
そして、上第一加線１７には音符２０の符頭が重なり、下第一加線１０にも、音符２０の符頭が重なって表示されている。なお、上第一加線１７に対して音符２０の符頭の下部が接するように表示してもよく、下第一加線１０に対して音符２０の符頭の上部が接するように表示してもよい。前者の場合、音符２０の音階はＤとなり、後者の場合、音符２０の音階はＢとなる。
【００２０】
楽譜１は、六本の線分のうち最も下の第一線１１の直上にある線分である第二線１２上を中心３１ｏとするト音記号３１を備える。
ト音記号３１の中心３１ｏは、Ｇ４の音（４オクターブ目の「ソ」の音）であるという一般的な基準に従って楽譜１に表示された各音符２０を読むと、各音符の音階は、左から順に、Ｃ４、Ｄ４、Ｅ４、Ｆ４、Ｇ４、Ａ４、Ｂ４、Ｃ５、Ｄ５、Ｅ５、Ｆ５、Ｇ５、Ａ５、Ｂ５及びＣ６、となる。
【００２１】
このように、下第一加線１０に符頭が重なって表示される音符２０の音階はＣ４であり、上第一加線１７に符頭が重なって表示される音符２０の音階はＣ６であり、いずれも外観が同じであり、いずれの音階もＣとなるので、読みやすい。
また、楽譜１にはト音記号３１が表示されているので、各音符２０が何オクターブ目の音階であるかがわかり、音域が広範囲の曲であっても表示できる。
【００２２】
（第３実施形態）
以下、図面を参照して本考案を実施するための第３の形態（以下、第３実施形態）について詳細に説明する。第３実施形態に係る楽譜１は、第２実施形態に係る楽譜１と音部記号が異なり、それに伴って各音符２０のオクターブが異なるだけであるので、以下の説明においては、共通する部分の説明は省略する場合がある。
【００２３】
図３は、音部記号であるへ音記号３２及び音符２０が表示された楽譜１を表す図である。
図３に示すように、楽譜１は、互いに等間隔で離間して平行に配置される同じ長さの六本の線分を備えるものであり、下から順に、第一線１１，第二線１２，第三線１３，第四線１４，第五線１５及び第六線１６から構成される。
また、楽譜１の六本の線分のうちのいずれか１つの線分に対して、音符２０の符頭が重なるか、又は接するようにして配置されている。
楽譜１には、図２に示す楽譜１と同様に、２オクターブ域の全音である音符２０が１５個並んで表示されている。
【００２４】
楽譜１は、六本の線分のうち最も下の第一線１１の直上にある線分である第二線１２上を中心３２ｏとするへ音記号３２を備える。
へ音記号３２の中心３２ｏは、Ｆ３の音（３オクターブ目の「ファ」の音）であるという一般的な基準に従って楽譜１に表示された各音符２０を読むと、各音符の音階は、左から順に、Ｃ２、Ｄ２、Ｅ２、Ｆ２、Ｇ２、Ａ２、Ｂ２、Ｃ３、Ｄ３、Ｅ３、Ｆ３、Ｇ３、Ａ３、Ｂ３及びＣ４、となる。
【００２５】
このように、下第一加線１０に符頭が重なって表示される音符２０の音階はＣ２であり、上第一加線１７に符頭が重なって表示される音符２０の音階はＣ４であり、いずれも外観が同じであり、いずれの音階もＣとなるので、読みやすい。
また、楽譜１にはヘ音記号３２が表示されているので、各音符２０が何オクターブ目の音階であるかがわかり、音域が広範囲となる曲であっても表示できる。
【００２６】
（第４実施形態）
以下、図面を参照して本考案を実施するための第４の形態（以下、第４実施形態）について詳細に説明する。
【００２７】
図４は、大譜表を表す図である。
図４に示すように、楽譜１は、ト音記号３１が表示された上部譜面１００と、ヘ音記号３２が連なった下部譜面２００とを連ねて、大譜表となっている。
この楽譜１の上部譜面１００は、第２実施形態と同様に、互いに等間隔で離間して平行に配置される同じ長さの六本の線分を備えるものであって、ト音記号３１が表示されたものであり、下部譜面２００は、第３実施形態と同様に、互いに等間隔で離間して平行に配置される同じ長さの六本の線分を備えるものであって、へ音記号３２が表示されたものである。
【００２８】
このようにすることで、ピアノなどの鍵盤楽器のための楽曲のように、音域が４オクターブに渡るような広範囲のものであっても、１つの楽譜１で表すことができる。
しかも、上部譜面１００の下第一加線１０に重なる音符２０の音階はＣ４であり、下部譜面２００の下第一加線１０に重なる音符２０の音階はＣ２であるのに加え、上部譜面１００の上第一加線１７に重なる音符２０の音階はＣ６であり、下部譜面２００の上第一加線１７に重なる音符２０の音階はＣ４であり、いずれも外観が同じであり、いずれの音階もＣとなるので、音部記号に紛らわされて音階が誤読されにくく、音階をわかりやすく表示できる。
【００２９】
（第５実施形態）
以下、図面を参照して本考案を実施するための第５の形態（以下、第５実施形態）について詳細に説明する。
【００３０】
図５は、ヘ長調の調号が付された楽譜１を表す図である。
図５に示すように、楽譜１は、先述の実施形態と同様に、互いに等間隔で離間して平行に配置される同じ長さの六本の線分１１，１２，１３，１４，１５，１６を備えるものである。
【００３１】
また、楽譜１には、ヘ長調の調号の調号記号５１、５２、５３が付されており、音部記号であるト音記号３１の隣に変化記号４１であるフラットが付された調号記号５１と、その右側に、音部記号であるヘ音記号３２の隣に変化記号４２であるフラットが付された調号記号５２とが配置され、更に、ヘ音記号３２の右側には、音部記号であるト音記号３３の隣の変化記号が省略された調号記号５３が配置され、変化記号４１及び変化記号４２は、同じ第三線１３上に配置される。
【００３２】
このように、楽譜１を六線譜とすることで、調号が同じであれば、音部記号が異なっても、変化記号を同じ線上に配置できるので、音階がわかりやすい。
さらに、ト音記号３１を伴う調号記号５１の右側に、音部記号が異なるヘ音記号３２を伴う調号記号５２が配置され、ヘ音記号３２を伴う調号記号５２の右側に、音部記号が異なり、しかも変化記号が省略されたト音記号３３を伴う調号記号５３が配置されても、ト音記号３３を伴う調号記号５３の変化記号は、それより左側にある調号記号５１、５２における変化記号４１、４２にならい、第三線１３上に配置されるものとみなして読むことができる。
【００３３】
そして、一般的な五線譜の場合であれば、同じ調号（例えばヘ長調）であっても、音部記号が変化するのに伴い、変化記号が付される線分が変わる（ヘ長調であれば、ト音記号の隣の変化記号は第三線に付され、へ音記号の隣の変化記号は第二線に付される）ので、その右側に配置される調号記号における変化記号が省略された場合（例えば、五線譜において、変化記号が第三線に付されたト音記号を伴う調号の右側に、変化記号が第二線に付されたヘ音記号を伴う調号記号が配置され、その右側に、変化記号が省略されたト音記号が配置された場合）に、更にその右側に配置される音階を誤読する（本来、フラットは第三線にかかるが、第二線にかかると誤る）ことがあるが、六線譜であればそのように誤読されにくい。
【００３４】
以上、本考案の好ましい実施例について詳述したが、本考案に係る楽譜は上述した実施形態に限定されるものではなく、実用新案登録請求の範囲に記載された本考案の要旨の範囲内において、種々の変形、変化が可能である。
【００３５】
例えば、上述した実施形態では、楽譜に、Ｃ、Ｄ、Ｅ、Ｆ、Ｇ、Ａ、Ｂの各音階を表す音符を順番に表示したが、これに限らず、所望の楽曲を表現するため、各種音符と各音階を組み合わせて適宜の順番で表示してもよい。
【００３６】
例えば、上述した実施形態では、楽譜に音符を表示したが、これに限らず、音符のない六線譜のみの楽譜としてもよい。
【００３７】
また、上述した実施形態では、六線譜を例にして説明したが、これに限らず、１３線譜や２０線譜のように、（７ｎ−１）線譜（ｎは１以上の整数）であってもよい。このように、（７ｎ−１）線譜（ｎは１以上の整数）であれば、六線譜の場合と同様に、音部記号にかかわらず、同じ線上にある音符を同じ音階で読める等の効果が得られる。
【００３８】
本考案によれば、楽譜が、互いに等間隔で離間して平行に配置される同じ長さの六本の線分であるので、音部記号がなくても、上第一加線及び下第一加線の音階をＣと読むことができ、誤読されにくく、２オクターブに渡る音階をわかりやすく表示できる。
【００３９】
本考案によれば、線分には、音符の符頭が重なる又は接するので、音域が広範囲である楽曲であっても表現でき、音階が誤読されにくい。
【００４０】
本考案によれば、上第一加線又は下第一加線を備え、上第一加線又は下第一加線には、音符の符頭が重なる又は接するので、上第一加線又は下第一加線に重なる音符の音階をいずれもＣと読むことができ、音階が誤読されにくい。
【００４１】
本考案によれば、六本の線分のうち最も下の第一線の直上にある線分である第二線上を中心とするト音記号を備えるので、楽譜にト音記号があっても、上第一加線又は下第一加線に重なる音符の音階をいずれもＣと読むことができ、音階が誤読されにくい。
【００４２】
本考案によれば、六本の線分のうち最も上の第六線の直下にある線分である第五線上を中心とするヘ音記号を備えるので、楽譜にヘ音記号があっても、上第一加線又は下第一加線に重なる音符の音階をいずれもＣと読むことができ、音階が誤読されにくい。
【符号の説明】
【００４３】
１      楽譜
１０    下第一加線
１１    第一線（線分）
１２    第二線（線分）
１３    第三線（線分）
１４    第四線（線分）
１５    第五線（線分）
１６    第六線（線分）
１７    上第一加線
２０    音符
３１    ト音記号
３１ｏ  中心
３２    ヘ音記号
３２ｏ  中心
３３    ト音記号
４１    変化記号
４２    変化記号
５１    調号記号
５２    調号記号
５３    調号記号
１００  上部譜面
２００  下部譜面
【図１】
0003207361.tif 000003
【図２】
0003207361.tif 000004
【図３】
0003207361.tif 000005
【図４】
0003207361.tif 000006
【図５】
0003207361.tif 000007